(57)【要約】      （修正有）【課題】安価で簡単に洗面台の扉等に後付けできる体重計収納ラックを提供する。【解決手段】体重計収納ラック１０は、体重計保持パネル１１と、ラックベース１２とを備えている。体重計保持パネル１１は、体重計が載置される面に一対の接着部５１を備えている。接着部５１は、円板状のベースに両面テープを貼り付けたものであり、体重計の底面を強力な接着力をもって接着する。ラックベース１２は、体重計を収納するためのものであり、底部プレート２０と後部プレート２１と上部プレート２２とから成っている。ラックベース１２の底部プレート２０と体重計保持パネル１１とは、蝶番２３，２４によって連結されている。体重計保持パネル１１は、床面１０１と垂直となる収納位置（直立した状態）から、床面１０１に密着する使用位置（水平な状態）まで揺動することができる。【選択図】図２
0003203675.tif 000002
【実用新案登録請求の範囲】
【請求項１】
床面にその下面が当接する使用位置と床面に垂直な収納位置との間で揺動するとともに、前記使用位置における上面に体重計の下部が固定される体重計保持パネルと、
洗面台の扉、設置場所の壁面、床面の少なくとも一つに固定されるとともに、前記体重計保持パネルが揺動自在に連結されたラックベースとを備えている体重計収納ラック。
【請求項２】
前記体重計は、粘着部材または接着部材によって当該体重計保持パネルに固定される、請求項１に記載の体重計収納ラック。
【請求項３】
前記ラックベースには、前記収納位置において前記体重計を前記体重計保持パネルに圧接させる弾性体が設けられている、請求項１または請求項２に記載の体重計収納ラック。
【請求項４】
前記ラックベースには、前記収納位置において前記体重計の基部または支持足を支承する支持部材が設けられている、請求項１〜請求項３のいずれか一項に記載の体重計収納ラック。
【請求項５】
前記体重計保持パネルを前記収納位置側に付勢する付勢手段を備えている、請求項１〜請求項４のいずれか一項に記載の体重計収納ラック。
【請求項６】
前記体重計保持パネルを前記使用位置に係止する係止手段を備えている、請求項１〜請求項５のいずれか一項に記載の体重計収納ラック。
【考案の詳細な説明】
【技術分野】
【０００１】
本考案は、体重計収納ラックに関し、特に、洗面台の扉や洗面所の壁面等に設置する体重計収納ラックに関する。
【背景技術】
【０００２】
一般家庭において、体重計は洗面所等で使用されることが多い。しかしながら、狭い浴室やユニットバス仕様などにより充分な広さを確保できず洗濯機や洗面台、その他のもので床にスペースが無い一方で、健康志向、ダイエットへの関心が高まりにより、一家に１台の体重計はごく普通の生活様式となっている。
【０００３】
体重計は使用時に平置きされるが、足元のスペースを取り、目線から遠いために、足を負傷するケースが多くなっている。特に突き指をするケースや、最悪の場合には、足の指を骨折するケースも発生する。
【０００４】
そこで、特許文献１，２では、体重計を使用しないときには、床に平置きのままにしないで体重計を収納する装置が開示されている。
【先行技術文献】
【特許文献】
【０００５】
【特許文献１】特開２００９−６９１１６号公報
【特許文献２】特開２００９−６９１１５号公報
【考案の概要】
【考案が解決しようとする課題】
【０００６】
しかしながら、上記の特許文献１，２に記載されている体重計収納装置は、洗面台の扉の中に収納するためのものであり、また、洗面台の中にそれ専用として配置しなければならず、既にある洗面台に後付できるものではないという問題点がある。
【０００７】
本考案は、上記問題点に鑑みなされたものであり、安価で簡単に洗面台の扉等に後付けできる体重計収納ラックを提供することを目的とするものである。
【課題を解決するための手段】
【０００８】
本考案の体重計収納ラックは、床面にその下面が当接する使用位置と床面に垂直な収納位置との間で揺動するとともに、前記使用位置における上面に体重計の下部が固定される体重計保持パネルと、洗面台の扉、設置場所の壁面、床面の少なくとも一つに固定されるとともに、前記体重計保持パネルが揺動自在に連結されたラックベースとを備えている。
【０００９】
好適には、前記体重計は、粘着部材または接着部材によって当該体重計保持パネルに固定される。
【００１０】
好適には、前記ラックベースには、前記収納位置において前記体重計を前記体重計保持パネルに圧接させる弾性体が設けられている。
【００１１】
好適には、前記ラックベースには、前記収納位置において前記体重計の基部または支持足を支承する支持部材が設けられている。
【００１２】
好適には、前記体重計保持パネルを前記収納位置側に付勢する付勢手段を備えている。
【００１３】
好適には、前記体重計保持パネルを前記使用位置に係止する係止手段を備えている。
【考案の効果】
【００１４】
本考案によれば、安価かつ容易に洗面台等に後付けできる体重計収納ラックを提供することが可能となる。
【図面の簡単な説明】
【００１５】
【図１】本考案の第１実施形態に係る体重計収納ラックの斜視図である。
【図２】本考案の第１実施形態に係る体重計収納ラックの体重計保持パネルを床に倒した位置にあるときの斜視図である。
【図３】本考案の第１実施形態に係る体重計収納ラックのロック手段を説明する図である。
【図４】本考案の第１実施形態に係る体重計収納ラックに体重計を設置したときの斜視図である。
【図５】本考案の第２実施形態に係る体重計収納ラックの体重計保持パネルを床に倒した位置にあるときの斜視図である。
【図６】本考案の第２実施形態に係る体重計収納ラックの体重計保持パネル回動機構を説明する上部から見た図である。
【図７】本考案の第２実施形態に係る体重計収納ラックの体重計保持パネル回動機構を説明する側面から見た図である。
【図８】本考案の第２実施形態に係るロック機構を説明する側面から見た図である。
【考案を実施するための形態】
【００１６】
以下、本考案の実施形態を、図１〜図８を用いて詳細に説明する。
【００１７】
図１は、本考案の第１実施形態に係る体重計収納ラックの斜視図である。
図２は、本考案の第１実施形態に係る体重計収納ラックの体重計保持パネルを床に倒した位置にあるときの斜視図である。
図１と図２に示すように、本考案の第１実施形態に係る体重計収納ラック１０は、体重計保持パネル１１と、ラックベース１２とを備えている。
【００１８】
体重計保持パネル１１は、体重計３１（図４参照）が載置される面に一対の接着部５１を備えている。接着部５１は、円板状のベースに両面テープを貼り付けたものであり、体重計３１の底面を強力な接着力をもって接着する。また、体重計保持パネル１１は、体重計３１を収納するために体重計保持パネル１１が床面１０１と垂直になったときに体重計３１の基部（あるいは支持足）を支承する支持バー１９を備えている。
【００１９】
ラックベース１２は、体重計を収納するためのものであり、底部プレート２０と後部プレート２１と上部プレート２２とから成っている。後部プレート２１の背面には両面テープ（図示せず）が取り付けられており、ラックベース１２を洗面台の扉１００に接着させるようになっている。なお、体重計収納ラック１０を洗面所の壁面に設置する場合には、底部プレート２０の床面１０１に対峙する部分にも両面テープを取り付け、床面１０１にも接着させるようにすることができる。
【００２０】
ラックベース１２の底部プレート２０と体重計保持パネル１１とは、蝶番２３，２４によって連結されている。体重計保持パネル１１は、床面１０１と垂直となる収納位置（直立した状態）から、床面１０１に密着する使用位置（水平な状態）まで揺動することができる。
【００２１】
ラックベース１２の後部プレート２１には、その前面（図中、手前側）に矩形の弾性体５０が貼り付けられている。弾性体５０は、十分な厚みを有する発泡樹脂であり、収納位置において体重計３１を体重計保持パネル１１に圧接させる。
【００２２】
また、体重計保持パネル１１とラックベース１２の底部プレート２０との間には、体重計保持パネル１１を収納位置側に付勢する付勢手段２５が設けられている。付勢手段２５は、自由形状が断面Ｌ字形状の板ばねであり、使用位置では平坦な形状となる。
【００２３】
さらに、体重計保持パネル１１には、体重計保持パネル１１を床面１０１に対して略水平方向の姿勢で保持するロック手段２６が設けられている。
【００２４】
図３は、ロック手段２６を拡大して示した斜視図である。ロック手段２６は、体重計保持パネル１１に固定されたゲート２７とゲート２７内を移動できるバー２８からなっている。バー２８の両端部には、突出したバーヘッド２９、３０が設けられている。
【００２５】
体重計保持パネル１１を使用位置で保持するためには、バー２８を矢印Ａの方向に移動させることにより（図３（ｂ））、底部プレート２０側に出たバー２８によって、付勢手段２５による付勢力で体重計保持パネル１１が揺動することを妨げ、体重計保持パネル１１を床面１０１に対して略水平に保持することができる。
【００２６】
また、バー２８を矢印Ｂの方向に移動させたときには（図３（ａ））、バー２８に妨げられないので、体重計保持パネル１１は、付勢手段２５による付勢力によって収納位置まで揺動する。
【００２７】
図４は、体重計保持パネル１１に体重計３１を取り付けたときを示す斜視図である。
体重計３１は、体重計保持パネル１１の上面に押し付けられると、前述した接着部５１の接着力によって体重計保持パネル１１に強固に固定される。この際、体重計３１の基部（あるいは支持足）を支持バー１９に当接させておけば、収納位置で体重計３１の重量を支持バー１９が負担するため、接着部５１に掛かる負荷が小さくなる。
【００２８】
上記のように、体重計収納ラック１０は、体重計３１を使用するときに平置きに倒すことにより使用可能となり、不使用のときは、ワンタッチで縦置きにすることが可能である。
なお、体重計収納ラック１０は、洗面台の扉１００に一体化されるため、洗面台内部の物を取り出す際の妨げにならない。
さらに、体重計収納ラック１０は、シンプルな構造のため故障しにくく、製造コストを安価に抑えることができる。
【００２９】
次に、本考案の第２実施形態に係る体重計収納ラックを説明する。第２実施形態は、第１実施形態に対して体重計保持パネル１１とラックベース１２との連結部位の他、体重計保持パネル１１を収納位置に付勢する付勢手段等が異なる以外は、同一の構造なので、同一の部材には同一の符号を付し、説明を省略する。
【００３０】
図５は、本考案の第２実施形態に係る体重計収納ラックの体重計保持パネルを床に倒した位置にあるときの斜視図である。
図５に示すように、本考案の第２実施形態に係る体重計収納ラック４０は、体重計保持パネル１１と、ラックベース１２とを備えている。
【００３１】
体重計保持パネル１１とラックベース１２との連結部位について説明する。
図６および図７は、連結部位を説明するための上部から見た図と側面から見た図である。体重計保持パネル１１とラックベース１２との連結部位は、底部プレート２０に取り付けられたパイプ４２と体重計保持パネル１１に取り付けられたパイプ４３，４４に、シャフト４５を通した構造であり、容易に形成することができる。
【００３２】
また、体重計保持パネル１１とラックベース１２の底部プレート２０には、体重計保持パネル１１を収納位置側に付勢する一対のねじりコイルばね４６が設けられている。
【００３３】
図８（ａ），（ｂ）に示すように、ラックベース１２の側面にはカム孔４７を有するロックプレート４８が取り付けられており、このカム孔４７に体重計保持パネル１１の側面に揺動自在に連結されたストッパロッド４９の先端４９ａが係合している。カム孔４７は、床面１０１と水平な水平部４７ａと、水平部４７ａの右端から下方に向けて湾曲した円弧部４７ｂとからなる略Ｊ字形状（図８では、略Ｌ字形状であるが、より好ましくは、略Ｊ字構造として、ユーザからの力の補助なしでは、ばね力でもとに戻らないようにした方が好適である。）を呈している。ストッパロッド４９の先端４９ａは、体重計保持パネル１１が使用位置にあるときに円弧部４７ｂの下端に位置し、体重計保持パネル１１が収納位置にあるときに水平部４７ａの後端に位置する。
【００３４】
体重計３１を使用すべくラックベース１２から体重計保持パネル１１を引き出すと、ストッパロッド４９の先端４９ａが円弧部４７ｂの下端に入り込んで係止され、体重計保持パネル１１が使用位置で保持される。また、体重計３１を収納すべくストッパロッド４９を指などで斜め後方に引き上げると、ストッパロッド４９の先端４９ａが円弧部４７ｂから水平部４７ａに移動し、ねじりコイルばね４６の付勢力によって体重計保持パネル１１がラックベース１２側に揺動して収納位置に復帰する。
【００３５】
上記のように、体重計収納ラック４０は、体重計３１を使用するときに平置きに倒すことによって使用位置にすることができ、使用しないときは、ワンタッチで収納位置にすることが可能となる。
なお、体重計収納ラック１０は、洗面台の扉１００に一体化されるため、洗面台内部の物を取り出す際の妨げにならない。
さらに、体重計収納ラック４０は、シンプルな構造のため故障しにくく、製造コストを安価に抑えることができる。
【００３６】
なお、両実施形態に係る体重計収納ラック１０は、後部プレート２１と上部プレート２２を備えているが、後部プレート２１、上部プレート２２を省略し、底部プレート２０のみを備えた構成にしてもよい。
【００３７】
上記のように、第１と第２の実施形態に係る体重計収納ラック１０、４０は、後部プレート２１と上部プレート２２を備えているが、後部プレート２１、上部プレート２２を備えずに、底部プレート２０を備えた構成にすることにより、材料費を低減することができる。また、体重計保持パネル１１を使用位置にしたときに、体重計収納ラックの後ろ側にある洗面台等の戸棚を利用することができる。
【００３８】
以上の実施形態で説明された構成、形状、大きさおよび配置関係については本考案が理解・実施できる程度に概略的に示したものにすぎず、また数値および各構成の組成（材質）等については例示にすぎない。従って本考案は、説明された実施形態に限定されるものではなく、実用新案登録請求の範囲に示される技術的思想の範囲を逸脱しない限り様々な形態に変更することができる。
【産業上の利用可能性】
【００３９】
本考案の体重計収納ラックは、洗面台の扉の外等に置いて体重計を収納する体重計収納具として利用することができる。
【符号の説明】
【００４０】
１０    体重計収納ラック
１１    体重計保持パネル
１２    ラックベース
１９    支持バー
２３    蝶番
２５    付勢手段
２６    ロック手段
３１    体重計
４０    体重計収納ラック
４８    ロックプレート
４９    ストッパロッド
５０    弾性体
５１    接着部
１００  扉
１０１  床面
【図１】
0003203675.tif 000003
【図２】
0003203675.tif 000004
【図３】
0003203675.tif 000005
【図４】
0003203675.tif 000006
【図５】
0003203675.tif 000007
【図６】
0003203675.tif 000008
【図７】
0003203675.tif 000009
【図８】
0003203675.tif 000010
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
床面にその下面が当接する使用位置と床面に垂直な収納位置との間で揺動するとともに、前記使用位置における上面に体重計の下部が固定される体重計保持パネルと、
洗面台の扉、設置場所の壁面、床面の少なくとも一つに固定されるとともに、前記体重計保持パネルが揺動自在に連結されたラックベースとを備えている体重計収納ラック。
【請求項２】
前記体重計は、粘着部材または接着部材によって当該体重計保持パネルに固定される、請求項１に記載の体重計収納ラック。
【請求項３】
前記ラックベースには、前記収納位置において前記体重計を前記体重計保持パネルに圧接させる弾性体が設けられている、請求項１または請求項２に記載の体重計収納ラック。
【請求項４】
前記体重計保持パネルには、前記収納位置において前記体重計の基部または支持足を支承する支持部材が設けられている、請求項１〜請求項３のいずれか一項に記載の体重計収納ラック。
【請求項５】
前記体重計保持パネルを前記収納位置側に付勢する付勢手段を備えている、請求項１〜請求項４のいずれか一項に記載の体重計収納ラック。
【請求項６】
前記体重計保持パネルを前記使用位置に係止する係止手段を備えている、請求項１〜請求項５のいずれか一項に記載の体重計収納ラック。
【手続補正２】
【補正対象書類名】明細書
【補正対象項目名】００１１
【補正方法】変更
【補正の内容】
【００１１】
好適には、前記体重計保持パネルには、前記収納位置において前記体重計の基部または支持足を支承する支持部材が設けられている。